(57)【要約】【課題】ユーザの手間を要することなく、装置間のデータ転送を可能とすること。【解決手段】音楽データを処理するノート型ＰＣ及びカーオーディオ３と有線通信を行うためのＵＳＢスレーブ端子１１Ａ，１１Ｂと、音楽データを一時記憶するためのバッファ１３Ａ，１３Ｂと、ＵＳＢスレーブ端子１１Ａを介してノート型ＰＣから音楽データを受信し、当該受信した音楽データをバッファ１３Ａ，１３Ｂに記憶し、当該記憶された音楽データをバッファ１３Ａ，１３Ｂから読み出し、当該読み出された音楽データをＵＳＢスレーブ端子１１Ｂを介してカーオーディオ３に送信する制御部２１と、を備える。【選択図】図１
2011018086.tif 000002
【特許請求の範囲】
【請求項１】
データを処理する第１の装置及び第２の装置と有線通信を行うための端子部と、
前記データを一時記憶するためのバッファと、
前記端子部を介して前記第１の装置から前記データを受信し、当該受信した前記データを前記バッファに記憶し、当該記憶された前記データを前記バッファから読み出し、当該読み出された前記データを前記端子部を介して前記第２の装置に送信する制御部と、
を備えるデータ転送装置。
【請求項２】
前記第１の装置及び前記第２の装置のそれぞれは、
ノート型ＰＣ又はカーオーディオである請求項１に記載のデータ転送装置。
【請求項３】
自装置とデータの通信を行う外部装置と無線通信を行う通信部と、
前記データを一時記憶するためのバッファと、
前記データを前記バッファに記憶し、当該記憶された前記データを前記バッファから読み出し、当該読み出された前記データを前記通信部を介して前記外部装置に送信する制御部と、
を備えるデータ転送装置。
【請求項４】
前記外部装置は、
ノート型ＰＣ又はカーオーディオである請求項３に記載のデータ転送装置。
【請求項５】
前記制御部は、
アイソクロナス通信により前記データの送受信を行う請求項１から４のいずれか一項に記載のデータ転送装置。
【請求項６】
データを処理する第１の装置及び第２の装置と有線通信を行うための端子部を介して前記第１の装置から前記データを受信し、当該受信した前記データをバッファに記憶し、当該記憶された前記データを前記バッファから読み出し、当該読み出された前記データを前記端子部を介して前記第２の装置に送信する制御工程を含む制御方法。
【請求項７】
データをバッファに記憶し、当該記憶された前記データを前記バッファから読み出し、当該読み出された前記データを外部装置と無線通信を行う通信部を介して前記外部装置に送信する制御工程を含む制御方法。
【請求項８】
コンピュータを、
データを処理する第１の装置及び第２の装置と有線通信を行うための端子部、
前記データを一時記憶するためのバッファ、
前記端子部を介して前記第１の装置から前記データを受信し、当該受信した前記データを前記バッファに記憶し、当該記憶された前記データを前記バッファから読み出し、当該読み出された前記データを前記端子部を介して前記第２の装置に送信する制御部、
として機能させるプログラム。
【請求項９】
コンピュータを、
自装置とデータの通信を行う外部装置と無線通信を行う通信部、
前記データを一時記憶するためのバッファ、
前記データを前記バッファに記憶し、当該記憶された前記データを前記バッファから読み出し、当該読み出された前記データを前記通信部を介して前記外部装置に送信する制御部、
として機能させるプログラム。
【発明の詳細な説明】
【技術分野】
【０００１】
本発明は、データ転送装置、制御方法及びプログラムに関する。
【背景技術】
【０００２】
従来より、ＵＳＢ（Universal Serial Bus）メモリに保存したデータを再生装置（例えば、カーオーディオ等）で再生する技術が知られている。
【０００３】
図６を参照して、データ（音楽データ）をカーオーディオで再生する従来技術について説明する。図６（Ａ）は、ノート型ＰＣに入っている（記憶されている）音楽データをＵＳＢメモリにコピーすることを示した図である。図６（Ｂ）は、音楽データが記憶されたＵＳＢメモリをカーオーディオに挿入することを示した図である。ＵＳＢメモリがカーオーディオに挿入されると、カーオーディオにより音楽データがＵＳＢメモリから読み出される。そして、カーオーディオにより音楽データが再生される。
【０００４】
また、カーオーディオシステム、ナビゲーション装置に映像、音楽情報等のソース情報源並びにメディア再生用機器を備えることなく、ソース情報を再生出力できる技術も知られている（例えば、特許文献１参照）。
【先行技術文献】
【特許文献】
【０００５】
【特許文献１】特開２００３−２８３９５７号公報
【発明の概要】
【発明が解決しようとする課題】
【０００６】
図６に示すように、ノート型ＰＣに入っている音楽データをカーオーディオで再生する場合において、カーオーディオはＵＳＢホスト機能しか有しない。また、ノート型ＰＣについてもＵＳＢホスト機能しか有しない。したがって、例えば、カーオーディオとノート型ＰＣとを通常のケーブル等を介しての接続が物理的にできない。このため、ユーザは、一度ＵＳＢメモリに音楽データをコピーし、その後ＵＳＢメモリをカーオーディオに挿入させるといった動作を行う必要があった。
【０００７】
また、一般的にＵＳＢメモリはノート型ＰＣよりデータの記憶容量が少ない。このため、ノート型ＰＣに記憶されている音楽データの全てをユーザがカーオーディオで再生させたい場合、音楽データの全てをＵＳＢメモリに記憶させることができない場合がある。この場合、ユーザは、音楽データの全てをカーオーディオに転送するために、ＵＳＢメモリに音楽データをコピーし、その後ＵＳＢメモリをカーオーディオに挿入させる動作を複数回行う必要があった。
【０００８】
また、ノート型ＰＣからカーオーディオに音楽データを転送した後、ユーザは、ノート型ＰＣの音楽データをカーオーディオに新たに入れなおしたい場合もある。この場合、ユーザは、入れなおしたい音楽データをＵＳＢメモリにコピーし、その後ＵＳＢメモリをカーオーディオに挿入して再生させる動作を行う必要があった。
このため、ユーザの手間を要することなく、装置間（ノート型ＰＣ−カーオーディオ間）のデータ転送を可能とする技術を実現する要請があった。
【０００９】
本発明の課題は、ユーザの手間を要することなく、装置間のデータ転送を可能とすることである。
【課題を解決するための手段】
【００１０】
上記課題を解決するため、請求項１に記載の発明のデータ転送装置は、              
データを処理する第１の装置及び第２の装置と有線通信を行うための端子部と、
前記データを一時記憶するためのバッファと、
前記端子部を介して前記第１の装置から前記データを受信し、当該受信した前記データを前記バッファに記憶し、当該記憶された前記データを前記バッファから読み出し、当該読み出された前記データを前記端子部を介して前記第２の装置に送信する制御部と、を備える。
【００１１】
請求項２に記載の発明は、請求項１に記載のデータ転送装置において、
前記第１の装置及び前記第２の装置のそれぞれは、
ノート型ＰＣ又はカーオーディオである。
【００１２】
請求項３に記載の発明のデータ転送装置は、
自装置とデータの通信を行う外部装置と無線通信を行う通信部と、
前記データを一時記憶するためのバッファと、
前記データを前記バッファに記憶し、当該記憶された前記データを前記バッファから読み出し、当該読み出された前記データを前記通信部を介して前記外部装置に送信する制御部と、を備える。
【００１３】
請求項４に記載の発明は、請求項３に記載のデータ転送装置において、
前記外部装置は、
ノート型ＰＣ又はカーオーディオである。
【００１４】
請求項５に記載の発明は、請求項１から４のいずれか一項に記載のデータ転送装置において、
前記制御部は、
アイソクロナス通信により前記データの送受信を行う。
【００１５】
請求項６に記載の発明の制御方法は、
データを処理する第１の装置及び第２の装置と有線通信を行うための端子部を介して前記第１の装置から前記データを受信し、当該受信した前記データをバッファに記憶し、当該記憶された前記データを前記バッファから読み出し、当該読み出された前記データを前記端子部を介して前記第２の装置に送信する制御工程を含む。
【００１６】
請求項７に記載の発明の制御方法は、
データをバッファに記憶し、当該記憶された前記データを前記バッファから読み出し、当該読み出された前記データを外部装置と無線通信を行う通信部を介して前記外部装置に送信する制御工程を含む。
【００１７】
請求項８に記載の発明のプログラムは、
コンピュータを、
データを処理する第１の装置及び第２の装置と有線通信を行うための端子部、
前記データを一時記憶するためのバッファ、
前記端子部を介して前記第１の装置から前記データを受信し、当該受信した前記データを前記バッファに記憶し、当該記憶された前記データを前記バッファから読み出し、当該読み出された前記データを前記端子部を介して前記第２の装置に送信する制御部、として機能させる。
【００１８】
請求項９に記載の発明のプログラムは、
コンピュータを、
自装置とデータの通信を行う外部装置と無線通信を行う通信部、
前記データを一時記憶するためのバッファと、
前記データを前記バッファに記憶し、当該記憶された前記データを前記バッファから読み出し、当該読み出された前記データを前記通信部を介して前記外部装置に送信する制御部、として機能させる。  
【発明の効果】
【００１９】
本発明によれば、ユーザの手間を要することなく、装置間のデータ転送を可能とすることができる。
【図面の簡単な説明】
【００２０】
【図１】データ転送システムの概略構成を示す図である。
【図２】本発明に係るデータ転送装置の内部構成を示す図である。
【図３】データ転送処理の流れを示すフローチャートである。
【図４】前詰め方式を採用した場合の音楽データを示した図である。
【図５】前詰め方式を採用した場合の音楽データを示した図である。
【図６】データをカーオーディオで再生する従来の技術を説明した図である。
【発明を実施するための形態】
【００２１】
以下、添付図面を参照して本発明に係る実施の形態を詳細に説明する。ただし、発明の範囲は、図示例に限定されない。
【００２２】
図１〜図３を参照して本発明に係る実施の形態を説明する。先ず、図１を参照して、データ転送システム１００の概略構成について説明する。データ転送システム１００は、データ転送装置としてのデータ転送ケーブル１と、第１の装置、第２の装置としてのノート型ＰＣ２と、第１の装置、第２の装置としてのカーオーディオ３と、を備えて構成される。データ転送ケーブル１は、データをノート型ＰＣ２からカーオーディオ３に転送（ノート型ＰＣ２からデータを受信し、受信したデータをカーオーディオ３に送信）する。このとき、データ転送ケーブル１は、アイソクロナス通信（アイソクロナス転送方式）によりデータの送受信（転送）を行う。また、データ転送ケーブル１は、ＵＳＢによりデータ転送を行うものとする。
【００２３】
図１に示すデータ転送ケーブル１は、ハードウエアとソフトウエアとを機能的に示した図である。図１に示すデータ転送ケーブル１は、端子部としてのＵＳＢスレーブ端子１１Ａ，１１Ｂと、Ａｕｄｉｏクラス→Ｉ２Ｓ（The Inter-IC Sound Bus）変換部１２と、バッファ１３Ａ，１３Ｂと、Ｉ２Ｓ→Ａｕｄｉｏクラス変換部１４と、ＨＩＤ（Human Interface Device）クラス調停部１５と、を備えて構成される。このとき、ハードウエアは、ＵＳＢスレーブ端子１１Ａ，１１Ｂ、バッファ１３Ａ，１３Ｂに該当し、ソフトウエアは、Ａｕｄｉｏクラス→Ｉ２Ｓ変換部１２、Ｉ２Ｓ→Ａｕｄｉｏクラス変換部１４、ＨＩＤクラス調停部１５に該当する。
【００２４】
ＵＳＢスレーブ端子１１Ａは、ノート型ＰＣ２とデータ転送ケーブル１との間でデータの通信を行うための接続端子である。ＵＳＢスレーブ端子１１Ｂは、カーオーディオ３とデータ転送ケーブル１との間でデータの通信を行うための接続端子である。
【００２５】
Ａｕｄｉｏクラス→Ｉ２Ｓ変換部１２は、Ａｕｄｉｏクラスで転送される音楽データをＩ２Ｓに変換する。Ａｕｄｉｏクラスは、ＵＳＢ通信において音楽データを転送（伝送）する方式の１つである。Ａｕｄｉｏクラスでは、データ転送（伝送）用の通信線として、２本の通信線＋Ｄ、−Ｄが用いられる。また、Ｉ２Ｓは、ＤＳＰ（Digital Signal Processor）等のＩＣ間の通信においてデータを伝送する方式の１つである。この方式では、データ伝送用の通信線としてＬＲクロック、ビットクロック、データといった３本の通信線が用いられる。以下、Ａｕｄｉｏクラスで転送される音楽データをＡｕｄｉｏクラスの音楽データと記し、Ｉ２Ｓで転送される音楽データをＩ２Ｓの音楽データと記す。
【００２６】
バッファ１３Ａは、ノート型ＰＣ２から受信したＡｕｄｉｏクラスの音楽データを一時的に記憶（一時記憶）する。また、バッファ１３Ｂは、Ｉ２Ｓ→Ａｕｄｉｏクラス変換部１４により変換されたＡｕｄｉｏクラスの音楽データを一時記憶する。
【００２７】
ここで、ノート型ＰＣ２から送信されるＡｕｄｉｏクラスの音楽データは、ノート型ＰＣ２側の動作クロック（クロック）に基づいて送信される。その一方で、データ転送ケーブル１では、ノート型ＰＣ２のクロックでなく自身が発生するクロックに基づいて処理を行う。両者のクロックが全く同一の周波数であれば問題ないが、実際には両者のクロックは同期が取れていない。両者のクロックが取れない状態で動作を行うと、データ転送ケーブル１で受信したＡｕｄｉｏクラスの音楽データのデータ周期は、一定の周期間隔よりも若干遅れたり早くなったりする（ずれが生じる）。このデータ周期のずれをなくすために、Ａｕｄｉｏクラスの音楽データがバッファ１３Ａに一時記憶される。これにより、ノート型ＰＣ２とデータ転送ケーブル１とのクロックの同期を取ることができる。同様に、データ転送ケーブル１とカーオーディオ３とのクロックの同期を取るために、バッファ１３ＢにＡｕｄｉｏクラスの音楽データが記憶される。すなわち、バッファ１３Ａ、１３Ｂを備える構成により、ノート型ＰＣ２とデータ転送ケーブル１とのクロックの同期を取ることができ、且つ、データ転送ケーブル１とカーオーディオ３とのクロックの同期を取ることができる。
【００２８】
Ｉ２Ｓ→Ａｕｄｉｏクラス変換部１４は、Ｉ２Ｓの音楽データをＡｕｄｉｏクラスの音声データに変換する。
【００２９】
ＨＩＤクラス調停部１５は、操作部（ノート型ＰＣ２のキーボードやカーオーディオ３の操作リモコン等）を動作させるための操作データを調停（生成）する。そして、生成した操作データをＨＩＤクラスによりノート型ＰＣ２及びカーオーディオ３に送信する。ＨＩＤクラスとは、操作部を動作させるための操作データのデータ転送方式を示す。
【００３０】
次に、図２を参照して、データ転送ケーブル１のハードウエア構成について説明する。図２に示すように、データ転送ケーブル１は、制御部２１と、ＵＳＢスレーブ端子１１Ａ，１１Ｂと、バッファ１３Ａ，１３Ｂと、ＲＯＭ２２（Read Only Memory）と、を備えて構成される。なお、図１と同様な部分には同一の符号を付し、その詳細な説明を援用し、異なる部分について以下説明する。
【００３１】
制御部２１は、ＣＰＵ（Central Processing Unit）、ＲＡＭ（Random Access Memory）等を備えて構成され、データ転送ケーブル１の各部を中央制御する。制御部２１は、ＲＯＭ２２に記憶されている制御プログラム（ソフトウエア）の中から指定されたプログラムをＲＡＭに展開し、ＲＡＭに展開されたプログラムとの協働で、各種処理を実行する。
【００３２】
また、制御部２１は、後述するデータ転送プログラムとの協働により、ＵＳＢスレーブ端子１１Ａを介して、ノート型ＰＣ２からデータ（音楽データ）を受信し、当該受信した音楽データをバッファ１３Ａに記憶する。そして、制御部２１は、バッファ１３Ａから音楽データを読み出し、当該読み出された音楽データを、Ａｕｄｉｏクラス→Ｉ２Ｓ変換部１２、Ｉ２Ｓ→Ａｕｄｉｏクラス変換部１４を介してバッファ１３Ｂに記憶する。そして、制御部２１は、バッファ１３Ｂから音楽データを読み出し、当該読み出された音楽データをＵＳＢスレーブ端子１１Ｂを介してカーオーディオ３へ送信する。
【００３３】
ＲＯＭ２２は、制御部２１により実行される制御プログラム（ソフトウエア）、当該制御プログラムの実行に必要なパラメータやデータ等を記憶する。具体的には、ＲＯＭ２２は、Ａｕｄｉｏクラス→Ｉ２Ｓ変換部１２、Ｉ２Ｓ→Ａｕｄｉｏクラス変換部１４及びＨＩＤクラス調停部１５の各ソフトウエアを記憶する。また、ＲＯＭ２２は、後述するデータ転送プログラム（図示省略）を記憶する。
【００３４】
次に、図３を参照して、データ転送ケーブル１で実行されるデータ転送処理について説明する。データ転送処理は、音楽データをノート型ＰＣ２からカーオーディオ３に転送する処理である。
【００３５】
例えば、データ転送ケーブル１において、ＵＳＢスレーブ端子１１Ａを介してノート型ＰＣ２から音楽データの受信が開始されたことをトリガとして、ＲＯＭ２２から読み出されて適宜ＲＡＭに展開されたデータ転送プログラムと、ＣＰＵとの協働によりデータ転送処理が実行される。
【００３６】
先ず、ＵＳＢスレーブ端子１１Ａを介して、ノート型ＰＣ２からＡｕｄｉｏクラスの音楽データが受信される（ステップＳ１１）。そして、受信されたＡｕｄｉｏクラスの音楽データがバッファ１３Ａに一時記憶される（ステップＳ１２）。そして、ノート型ＰＣ２とデータ転送ケーブル１とのクロックの同期が確立される（ステップＳ１３）。
【００３７】
そして、バッファ１３ＡからＡｕｄｉｏクラスの音楽データが読み出され、Ａｕｄｉｏクラス→Ｉ２Ｓ変換部１２に入力される。そして、Ａｕｄｉｏクラス→Ｉ２Ｓ変換部１２により、Ａｕｄｉｏクラスの音楽データがＩ２Ｓの音楽データに変換される（ステップＳ１４）。
【００３８】
ステップＳ１４の実行後、Ｉ２Ｓの音楽データがＩ２Ｓ→Ａｕｄｉｏクラス変換部１４に入力される。そして、Ｉ２Ｓ→Ａｕｄｉｏクラス変換部１４により、Ｉ２Ｓの音楽データがＡｕｄｉｏクラスの音楽データに変換される（ステップＳ１５）。そして、Ａｕｄｉｏクラスの音楽データがバッファ１３Ｂに一時記憶される（ステップＳ１６）。そして、データ転送ケーブル１とカーオーディオ３とのクロックの同期が確立される（ステップＳ１７）。
【００３９】
ステップＳ１７の実行後、Ａｕｄｉｏクラスの音楽データが読み出され、読み出されたＡｕｄｉｏクラスの音楽データがＵＳＢスレーブ端子１１Ｂを介して、カーオーディオ３へ送信される（ステップＳ１８）。ステップＳ１８の実行後、データ転送処理は終了される。      
【００４０】
以上、本実施の形態によれば、データ転送ケーブル１は、ノート型ＰＣ２から音楽データを受信し、当該受信した音楽データをバッファ１３Ａ，１３Ｂを介してカーオーディオ３に送信する。このため、ノート型ＰＣ２からカーオーディオ３に自動的に音楽データを転送することができるので、ユーザの手間を要することなく、装置間（ノート型ＰＣ２−カーオーディオ３間）のデータ転送を可能とすることができる。また、データ転送ケーブル１を用いてデータ転送を行うことができるので、ＵＳＢメモリを用いて音楽データを転送する必要がなくなる。このため、ノート型ＰＣ２を車内に持ち込んでノート型ＰＣ２に記憶された音楽データをカーオーディオ３に転送するような状況下であっても、ユーザは、ＵＳＢメモリを用いることなく音楽データの転送を行い、カーオーディオ３で音楽データを簡単に再生させることができる。また、音楽データをバッファ１３Ａ，１３Ｂに一時記憶することで、データ転送ケーブル１は、ノート型ＰＣ２及びカーオーディオ３とクロックの同期を取ることができる。
【００４１】
また、データ転送ケーブル１は、アイソクロナス通信を行うことにより、音楽データの音切れを防ぐことができる。例えば、ＵＳＢメモリを用いて音楽データの転送を行った場合、ノート型ＰＣ２側で他の処理（音楽データの転送以外の他の処理）が発生すると、他の処理が終わるまで、音楽データの転送処理が止まってしまう。そうすると、音楽データの音切れが生じる可能性がある。しかし、本発明に係るデータ転送ケーブル１は、アイソクロナス通信を行うので、音楽データの音切れを防ぐことができる。  
【００４２】
なお、上記実施の形態における記述は、本発明に係るデータ転送装置の一例であり、これに限定されるものではない。
【００４３】
例えば、上記実施の形態では、ノート型ＰＣ２からカーオーディオ３へデータを転送することとしたが、これに限定されるものではない。例えば、カーオーディオ３を、ホームオーディオ、ポータブルオーディオ、携帯端末等としてもよい。
【００４４】
また、上記実施の形態では、データ転送ケーブル１を介してノート型ＰＣ２からカーオーディオ３へデータを転送することとしたが、データ転送ケーブル１を介してカーオーディオ３からノート型ＰＣ２へデータを転送することとしてもよい。この場合、ノート型ＰＣ２のスピーカ部（図示省略）から音楽データを出力することで、ＤＶＤ（Digital Versatile Disk）のような５チャンネルサラウンドを容易に実現することができる。
【００４５】
また、上記実施の形態では、Ａｕｄｉｏクラスの音楽データをＩ２Ｓに変換することとしたが、Ｉ２Ｓの代わりに、前詰め方式、後詰め方式といった他の伝送方式としてもよい。
【００４６】
例えば、Ｉ２Ｓの代わりに、前詰め方式を採用した場合、転送ビット幅は３２ｂｉｔとなる。このため、図４に示すように、１６ｂｉｔ幅のデータを２種類入れることが可能となる。そうすると、図４に示す上側１６ビット（Ｌ１ｃｈ）、下側１６ビット（Ｌ２ｃｈ）として異なるチャンネルでデータを転送することで、４チャンネル（Ｌ１ｃｈ、Ｌ２ｃｈ、Ｒ１ｃｈ、Ｒ２ｃｈ）で音楽データを転送することが可能となる。
【００４７】
また、Ｉ２Ｓの代わりに、前詰め方式を採用した場合、上述の通り、転送ビット幅は３２ｂｉｔである。すなわち、３２ｂｉｔのデータがＬｃｈ、Ｒｃｈとして連続して構成される。一般的に、前詰め方式では、図５に示すように、下側１６ｂｉｔは０データとなる。この下側１６ｂｉｔに制御データ（例えば、音楽データを再生するためのデータ）等を付加することにより、３２ｂｉｔの上側１６ｂｉｔを音楽データ、下側１６ｂｉｔを制御データとして転送することとしてもよい。この場合、ノート型ＰＣ２側やカーオーディオ側３に制御データを解析するための専用ソフトを作成し、下側１６ビット（制御データ）を抜き出して制御データのコマンドを解析する制御が必要となる。
【００４８】
また、データ転送ケーブル１において、ノート型ＰＣ２側から受信したＡｕｄｉｏクラスの音楽データをＩ２Ｓに変換せずにバッファに記憶し、当該バッファに記憶したＡｕｄｉｏクラスの音楽データをカーオーディオ３のクロックに同期して転送することとしてもよい。この場合、データ転送ケーブル１において、ノート型ＰＣ２側のクロックと同期を取るためのコントローラと、カーオーディオ３側のクロックと同期を取るためのコントローラとを搭載したＩＣを有する必要がある。
【００４９】
また、データ転送ケーブル１を介してノート型ＰＣ２からカーオーディオ３へデータを転送する構成としたがこれに限定されるものではない。例えば、ワイヤレスＵＳＢによりノート型ＰＣ２とカーオーディオ３との間でデータの通信を行う構成としてもよい。この場合、データ転送ケーブル１の機能をノート型ＰＣ２又はカーオーディオ３が有する構成となる。例えば、ノート型ＰＣ２がデータ転送ケーブル１の機能を有する場合、ノート型ＰＣ（データ転送装置）とカーオーディオ３（外部装置）との間でデータの通信（転送）が行われる。この場合、ノート型ＰＣ２は、バッファに音楽データを一時記憶し、当該記憶された音楽データを無線通信機能を有する通信部（ワイヤレスＵＳＢ機能を有する通信部）を介してカーオーディオ３に送信することとなる。
【００５０】
また、Ｂｌｕｅｔｏｏｔｈによりノート型ＰＣ２とカーオーディオ３との間でデータの通信を行う構成としてもよい。この場合、ワイヤレスＵＳＢで通信を行う場合と同様の構成となる。また、この場合、データの転送方式として、Ａｕｄｉｏクラスの代わりにＡ２ＤＰ（Advanced Audio Distribution Profile）、ＨＩＤクラスの代わりにＡＶＲＣＰ（Audio/Video Remote Control Profile）が適用される。
【００５１】
また、データ転送ケーブル１は、音楽データにかかわらず、映像データを転送することとしてもよい。この場合、映像データは、ＵＶＣ（USB Video Class）より転送される構成となる。
【００５２】
その他、本実施の形態における、データ転送ケーブル１の細部構造及び詳細動作に関しても、本発明の趣旨を逸脱しない範囲で適宜変更可能である。
【符号の説明】
【００５３】
１  データ転送ケーブル
２  ノート型ＰＣ
３  カーオーディオ
１１Ａ，１１Ｂ  ＵＳＢスレーブ端子
１２   Ａｕｄｉｏクラス→Ｉ２Ｓ変換部
１３Ａ，１３Ｂバッファ
１４   Ｉ２Ｓ→Ａｕｄｉｏクラス変換部
１５   ＨＩＤクラス調停部
２１   制御部
２２   ＲＯＭ
【図１】
2011018086.tif 000003
【図２】
2011018086.tif 000004
【図３】
2011018086.tif 000005
【図４】
2011018086.tif 000006
【図５】
2011018086.tif 000007
【図６】
2011018086.tif 000008